(57)【要約】【課題】  平面表示装置の軽量化を促進し、また、シャーシに取り付けられる回路基板の大きさや配線経路等への制約を低減させて、回路基板や配線等の設計自由度を向上させることのできる平面表示装置を提供する。  【解決手段】  回路基板１１２が搭載される第１シャーシ部材１３と、平面表示パネルの裏面に固定されると共に第１シャーシ部材１３と間に中空部４３を画成する第２シャーシ部材１４とを備える平面表示装置１００のシャーシ４１において、前記中空部４３内に第１シャーシ部材１３又は第２シャーシ部材１４に固定される第３シャーシ部材２１を装備し、この第３シャーシ部材２１を外部の取り付け金具を支持する補強金具とする。【選択図】        図１
2006133355.tif 000002
【特許請求の範囲】
【請求項１】
平面表示パネルと、前記平面表示パネルを駆動する駆動回路を備えた回路基板と、前記平面表示パネルの背面に設けられ、該平面表示パネルを支持すると共に前記回路基板が搭載されるシャーシとを備えた平面表示装置において、
前記シャーシは、前記回路基板が搭載される第１シャーシ部材と、前記平面表示パネルの裏面に固定される第２シャーシ部材とを備えると共に、前記第１シャーシ部材と前記第２シャーシ部材との間には中空部を有し、
前記中空部には、前記第１シャーシ部材又は前記第２シャーシ部材に固定される第３シャーシ部材を設け、
前記第３シャーシ部材によって前記平面表示装置の外部から前記平面表示装置に取り付けられる取付部材が前記平面表示装置に対して固定されることを特徴とする平面表示装置。
【請求項２】
前記取付部材は、前記平面表示装置が設置される場所の天井又は壁に固定されることにより前記平面表示パネルを前記天井又は前記壁に設置する設置具であることを特徴とする請求項１記載の平面表示装置。
【請求項３】
前記取付部材は、前記平面表示装置を立設させるスタンドであることを特徴とする請求項１記載の平面表示装置。
【請求項４】
前記第３シャーシ部材は前記第１シャーシ部材又は前記第２シャーシ部材の１辺と略同一の長さからなることを特徴とする請求項１記載の平面表示装置。
【発明の詳細な説明】
【技術分野】
【０００１】
本発明は、プラズマディスプレイパネル等の薄型の平面表示パネルと、前記平面表示パネルを駆動する駆動回路を備えた回路基板と、前記平面表示パネルの背面に設けられ、該平面表示パネルを支持すると共に前記回路基板が搭載されるシャーシとを備えた平面表示装置に関する。
【背景技術】
【０００２】
図１乃至図３は従来の平面表示装置の説明図で、図１は平面表示装置であるプラズマディスプレイ装置１０に天井吊り下げ金具３２を取り付けた状態の斜視図、図２は図１に示したプラズマディスプレイ装置１０のＡ−Ａ線に沿う水平断面図、図３は図２に示したプラズマディスプレイ装置１０に搭載された第１シャーシ部材のＢ矢視図である。
【０００３】
従来のプラズマディスプレイ装置１０は、図２に示すように、前面基板及び背面基板をなす二枚のガラス基板が微小な放電空間を介して貼り合わされたプラズマディスプレイパネル（以下、ＰＤＰと呼称する）１１と、このＰＤＰ１１を駆動するための電源回路や駆動回路を備えた回路基板１２と、ＰＤＰ１１と回路基板１２とを一体に支持する部材であるシャーシＳと、これらの構成部品を収容する筐体１９とから構成されている。
【０００４】
筐体１９は、ＰＤＰ１１及び回路基板１２が取り付けられたシャーシＳの外周囲を覆うサイドパネル１５と、後面側を覆うリアケース１６と、前面側を覆う透明な前面パネル１７とから構成されている。
【０００５】
そして、シャーシＳは、回路基板１２が搭載される第１シャーシ部材１３と、ＰＤＰ１１の裏面に固定される第２シャーシ部材１４とから構成されている。
第１シャーシ部材１３は、両側部１３ａがサイドパネル１５に取り付けられ、リアケース１６側の面には回路基板１２を取り付けるための凸部１３ｂが形成されており、ＰＤＰ１１側の面には第２シャーシ部材１４に接合される複数個の支持部１３ｃが突出形成されている。
第１シャーシ部材１３に形成した複数個の支持部１３ｃは、第２シャーシ部材１４との間に放熱のための中空部（隙間）を確保するためのもので、ＰＤＰ１１の周辺部に比して中央部において多く設けられている。
【０００６】
第２シャーシ部材１４は、ＰＤＰ１１側の面が全面に亘って平坦な面となっており、この面に両面接着テープ１８を介してＰＤＰ１１の裏面が接着・固定されている。
【０００７】
天井吊り下げ金具３２は、プラズマディスプレイ装置１０の背面に連結される装置取り付け板３２ａと、この装置取り付け板３２ａの上端に固定装備されて天井への取付け部となる天井取り付け板３２ｂから構成されている。
プラズマディスプレイ装置１０のリアケース１６は、薄板構造で、それほど強度が高くない。そこで、従来では、第１シャーシ部材１３のリアケース１６側の面に、装置取り付け板３２ａを取り付けるための補強金具２０を装備している。
【０００８】
この補強金具２０は、製品全体の荷重を支えるに十分な強度を確保すること、及び、薄板構造のリアケース１６や第１シャーシ部材１３の一部に集中荷重が作用することを回避することが必要で、これらの要件を満たすために、従来は、図２に示すように、第１シャーシ部材１３とリアケース１６との間の隙間を埋める高さ寸法Ｈを有し、且つ、図３に示すように第１シャーシ部材１３をその短辺方向に縦断する十分な長さ寸法Ｌを持った構造としていた（例えば、特許文献１参照）。
【０００９】
【特許文献１】特開２００１−３４５５８６号公報
【発明の開示】
【発明が解決しようとする課題】
【００１０】
ところが、前述した補強金具２０は、補強金具２０自体が大型化し、かなりの重量を持つため、プラズマディスプレイ装置１０の軽量化を阻害する大きな要因となった。
【００１１】
また、図３にも示したように、補強金具２０の縦断によって、第１シャーシ部材１３の基板取り付け面が小さく分断されてしまって、第１シャーシ部材１３に取り付ける回路基板１２の寸法等に大きな制限ができ、例えば、寸法の大きな回路基板１２を採用できないなど、回路基板１２の設計自由度の低下を招くという問題も生じた。
【００１２】
また、第１シャーシ部材１３の上面を縦断する補強金具２０は、第１シャーシ部材１３とリアケース１６との間の隙間を分断して、配線経路を大きく塞いでしまうため、筐体１９内における配線処理に大きな制約を与え、組み立て時等の作業性の低下を招く虞もあった。
【００１３】
本発明が解決しようとする課題（目的）としては、補強金具の小型・軽量化により平面表示装置の軽量化を促進することができ、また、補強金具がシャーシに取り付けられる回路基板の大きさや配線経路等に制約を与えることがなく、回路基板や配線等の設計自由度の向上と、組み立て時等の作業性の向上を図ることができる平面表示装置を提供することその一例として挙げられる。
【課題を解決するための手段】
【００１４】
請求項１に記載の平面表示装置は、平面表示パネルと、前記平面表示パネルを駆動する駆動回路を備えた回路基板と、前記平面表示パネルの背面に設けられ、該平面表示パネルを支持すると共に前記回路基板が搭載されるシャーシとを備えた平面表示装置において、前記シャーシは、前記回路基板が搭載される第１シャーシ部材と、前記平面表示パネルの裏面に固定される第２シャーシ部材とを備えると共に、前記第１シャーシ部材と前記第２シャーシ部材との間には中空部を有し、前記中空部には、前記第１シャーシ部材又は前記第２シャーシ部材に固定される第３シャーシ部材を設け、前記第３シャーシ部材によって前記平面表示装置の外部から前記平面表示装置に取り付けられる取付部材が前記平面表示装置に対して固定されることを特徴とする。
【発明を実施するための最良の形態】
【００１５】
以下、本発明に係る平面表示装置の好適な実施の形態について、図面を参照して詳細に説明する。
図４乃至図８は本発明に係る平面表示装置の一実施の形態を示したもので、図４は本発明の実施の形態に係る平面表示装置の水平断面図、図５は図４のＣ矢視図、図６は図４に示したシャーシ構造における第２シャーシ部材と第３シャーシ部材との位置関係の説明図、図７は図５のＤ−Ｄ線に沿う断面図、図８は図５に示した第１シャーシ部材の回路基板を取り外した状態の斜視図である。
【００１６】
本実施の形態の平面表示装置１００は、前面基板及び背面基板をなす二枚のガラス基板が微小な放電空間を介して貼り合わされたＰＤＰ１１と、このＰＤＰ１１を駆動するための電源回路や駆動回路を備えた回路基板１１２と、ＰＤＰ１１と回路基板１１２とを一体に支持する部材であるシャーシ４１と、これらの構成部品を収容する筐体１１９とから構成されている。
【００１７】
筐体１１９は、ＰＤＰ１１及び回路基板１１２が取り付けられたシャーシ４１の外周囲を覆うサイドパネル１５と、後面側を覆うリアケース１１６と、前面側を覆う透明な前面パネル１７とから構成されている。
【００１８】
そして、シャーシ４１は、回路基板１１２が搭載される第１シャーシ部材１３と、ＰＤＰ１１の裏面に固定される第２シャーシ部材１４と、これらの第１シャーシ部材１３と第２シャーシ部材１４との間に確保される隙間である中空部４３に配備される第３シャーシ部材２１とを備えている。
シャーシ４１を構成する第１シャーシ部材１３、第２シャーシ部材１４、第３シャーシ部材２１は、熱伝導性に優れたアルミニウム等の金属板のプレス成形によって形成される。
【００１９】
第１シャーシ部材１３は、両側部１３ａがサイドパネル１５に取り付けられ、リアケース１１６側の面には回路基板１１２を取り付けるための凸部１３ｂが形成されており、ＰＤＰ１１側の面には第２シャーシ部材１４に接合される複数個の支持部１３ｃが突出形成されている。
第１シャーシ部材１３に形成した複数個の支持部１３ｃは、第２シャーシ部材１４との間に放熱のための中空部（隙間）４３を確保するためのもので、ＰＤＰ１１の周辺部に比して中央部において多く設けられている。
【００２０】
第２シャーシ部材１４は、ＰＤＰ１１側の面が全面に亘って平坦な面となっており、この面に両面接着テープ１８を介してＰＤＰ１１の裏面が接着・固定されている。
【００２１】
第３シャーシ部材２１は、図５に示すように、第１シャーシ部材１３の短辺方向に沿って延在するように、第１シャーシ部材１３の内面に固定されている。第３シャーシ部材２１の長さ寸法は、図６にも示すように、第１シャーシ部材１３や第２シャーシ部材１４の短辺の長さに略等しく設定されている。
【００２２】
また、本実施の形態の第３シャーシ部材２１は、図７に示すように、長さ方向に沿う凹凸２１ａを形成することで、補強金具としての剛性を向上させている。
第３シャーシ部材２１は、両側のフランジ部２１ｂを例えば第１シャーシ部材１３にスポット溶接することで、第１シャーシ部材１３に固着されている。また第１シャーシ部材１３は軽量化の為アルミ等の比較的比重の小さい金属より形成されているが、強度が乏しい為、フランジ部２１ｂ及び補助金具２２により両側から挟み込まれる構成によって、平面度を維持している。
【００２３】
第３シャーシ部材２１の凹凸２１ａは、第２シャーシ部材１４側に突出した端面２１ｃが、第２シャーシ部材１４の内面に略接触するように、隆起高さが設定されている。
この第３シャーシ部材２１が、第１シャーシ部材１３及び第２シャーシ部材１４の双方に密着接触した状態で中空部４３に固定装備されることで、軽量化の為に、肉薄となっている第１シャーシ部材１３及び第２シャーシ部材１４の機械的強度が強化される。
【００２４】
第１シャーシ部材１３の表面側には、図７及び図８に示すように、第１シャーシ部材１３の内面に固定された第３シャーシ部材２１と重なる位置で、回路基板１１２の配置の邪魔にならない上下両端の領域に、補助金具２２，２３が装備されている。
このように、第１シャーシ部材１３の表面側には、上下両端の領域にのみ補助金具２２，２３を装備し、中央部には何も邪魔になるものを装備しない構成としたことで、図５に示したように、大きな回路基板１１２を搭載できる等、回路基板１１２に対する制約が軽減できる。
これらの補助金具２２，２３は、何れも、第１シャーシ部材１３の裏側に配置されている第３シャーシ部材２１と一体の構造物として機能し、作用する荷重を第３シャーシ部材２１に支えさせる。
【００２５】
各補助金具２２，２３は、図４に示したように、第１シャーシ部材１３とリアケース１１６との間の隙間を埋める高さ寸法を有していて、装置外部から図１に示した天井吊り下げ金具３２等の取付部材を固定する取付穴２２ａ，２３ａが形成されている。また、第１シャーシ部材１３の下端側に装備された補助金具２２の場合は、天井吊り下げ金具３２の取り付けの他に、平面表示装置１００を床等に立設する場合のスタンドを固定する金具としても機能する。
【００２６】
即ち、各補助金具２２，２３は、平面表示装置１００を天井又は壁、又は床に設置する際に、外部の取付部材を第３シャーシ部材２１に結合して、作用する装置重量等を大きな第３シャーシ部材２１に担わせる役割を果たす。
【００２７】
平面表示装置１００では、例えば、平面表示装置１００を天井等から吊り下げるために、図１に示した天井吊り下げ金具３２等の取付部材を装置外部から装置の背面に締結する場合、補助金具２２，２３に固定された取付部材の実質的な支持部は、第３シャーシ部材２１となる。
【００２８】
即ち、第３シャーシ部材２１は、天井吊り下げ金具３２等を装置外部から固定した際に荷重を支える補強金具で、製品全体の荷重を支えるに十分な強度を確保すること、薄板構造のリアケース１１６や各シャーシ４１部材の一部に集中荷重が作用することを回避することが必要で、そのために、ある程度の高さ寸法や長さ寸法が必要となる。
【００２９】
しかし、第３シャーシ部材２１の配置が、第１シャーシ部材１３と第２シャーシ部材１４との間の中空部４３であるため、回路基板１１２が配置される第１シャーシ部材１３の表面に取付用の補強部材である第３シャーシ部材２１が突出することがない。
【００３０】
よって、十分な取付強度を確保するために第３シャーシ部材２１の長さを大きく設定しても、第１シャーシ部材１３上の回路基板１１２の取り付けスペースが第３シャーシ部材２１によって分断されることがなく、また、第１シャーシ部材１３上の配線経路が第３シャーシ部材２１によって塞がれることもない。
【００３１】
また、補強金具である第３シャーシ部材２１がシャーシ４１に取り付けられる回路基板１１２の大きさや配線経路等に制約を与えることがなく、回路基板１１２や配線等の設計自由度の向上と、組み立て時等の作業性の向上を図ることができる
【００３２】
また、第３シャーシ部材２１の高さ寸法は、最大でも第１シャーシ部材１３と第２シャーシ部材１４との間の中空部４３の厚さ寸法に制限され、第１シャーシ部材１３とリアケース１１６との間に装備した従来の補強金具の場合と比較すると、補強金具の小型・軽量化が図れ、これにより平面表示装置１００の軽量化を促進することができる。
【００３３】
また、第３シャーシ部材２１は、上記実施の形態のように中空部４３内を上下方向に延在するリブ構造にすれば、第３シャーシ部材２１が中空部４３内の上昇気流を邪魔することがなく、第１シャーシ部材１３と第２シャーシ部材１４とが形成する中空構造により発揮される優れた放熱性が犠牲になることもない。
【００３４】
なお、第１シャーシ部材１３と第２シャーシ部材１４とが形成する中空構造は、上記の放熱性の他に、シャーシ４１を構成する板材の肉薄化による装置の軽量化、回路基板１１２を固定するネジ等の結合部材の結合部となる突起部をシャーシ４１内部に留めて外部への突出をなくす、ネジ締め等の結合で発生する切りカスを中空部４３内部に留めて、切りカスによる回路の汚損を防止するなどの各種の効果をもたらす。
【００３５】
また、上記実施の形態の平面表示装置１００の場合、補助金具２２，２３を介して第３シャーシ部材２１に取り付けられる取付部材は、天井や壁に平面表示装置１００を固定するための設置具に限らない。床等に平面表示装置１００を立設するためのスタンドであっても良い。
【００３６】
上記実施の形態の平面表示装置１００では、第３シャーシ部材２１が第１シャーシ部材１３又は第２シャーシ部材１４の一辺と同等の十分な長さを備えていて、装置を設置した際に第３シャーシ部材２１に作用する装置重量が第１シャーシ部材１３又は第２シャーシ部材１４の広域に分散して吸収されるため、第１シャーシ部材１３又は第２シャーシ部材１４を更に薄肉化しても、装置重量に十分耐える取付強度の確保が容易になり、第１シャーシ部材１３又は第２シャーシ部材１４の薄肉化による装置の軽量化や、コストの低減を促進することができる。
【００３７】
なお、本発明の平面表示装置において、第２シャーシ部材に取り付けられる平面表示パネルは、上記実施の形態に示したＰＤＰに限らない。例えば、ＬＣＤ（液晶表示素子）による表示パネルを利用することもできる。
【００３８】
また、上記実施の形態では、第１シャーシ部材１３と第２シャーシ部材１４との間の中空部４３に配置する第３シャーシ部材２１は、第１シャーシ部材１３に固定する構成としたが、第３シャーシ部材２１を第２シャーシ部材１４に固定する構成、或いは第１シャーシ部材１３及び第２シャーシ部材１４の双方に固定する構成することもできる。
【００３９】
また、第１シャーシ部材１３の表面に固定する補助金具２２，２３の具体的な形状や寸法は、第１シャーシ部材１３の表面に搭載する回路基板１１２の大きさや、装置外部の取付部材の大きさ、平面表示装置１００の重量等に応じて適宜に設計変更可能である。
【００４０】
以上、詳述したように、本実施の形態に係る平面表示装置１００は、ＰＤＰ１１（平面表示パネル）と、ＰＤＰ１１（平面表示パネル）を駆動する駆動回路を備えた回路基板１２と、ＰＤＰ１１（平面表示パネル）の背面に設けられ、該ＰＤＰ１１（平面表示パネル）を支持すると共に回路基板１２が搭載されるシャーシ４１とを備え、シャーシ４１は、回路基板１２が搭載される第１シャーシ部材１３と、ＰＤＰ１１（平面表示パネル）の裏面に固定される第２シャーシ部材１４とを備えると共に、第１シャーシ部材１３と第２シャーシ部材１４との間には中空部４３を有し、中空部４３には、第１シャーシ部材１３又は第２シャーシ部材１４に固定される第３シャーシ部材２１を設け、第３シャーシ部材２１によって平面表示装置１００の外部から平面表示装置１００に取り付けられる取付部材が平面表示装置１００に対して固定される。
これにより、補強金具の小型・軽量化により平面表示装置１００の軽量化を促進することができ、また、補強金具がシャーシ４１に取り付けられる回路基板１２の大きさや配線経路等に制約を与えることがなく、回路基板１２や配線等の設計自由度の向上と、組み立て時等の作業性の向上を図ることができる。
【図面の簡単な説明】
【００４１】
【図１】平面表示装置に天井吊り下げ金具を取り付けた状態の斜視図である。
【図２】天井吊り下げ金具を取り付けた従来の平面表示装置の水平断面図である。
【図３】図２のＢ矢視図である。
【図４】本発明の実施の形態に係る平面表示装置の水平断面図である。
【図５】図４のＣ矢視図である。
【図６】図４に示したシャーシ構造における第２シャーシ部材と第３シャーシ部材との位置関係の説明図である。
【図７】図５のＤ−Ｄ線に沿う断面図である。
【図８】図５に示した第１シャーシ部材の回路基板を取り外した状態の斜視図である。
【符号の説明】
【００４２】
１１  ＰＤＰ（プラズマディスプレイパネル）
１２  回路基板
１３  第１シャーシ部材
１３ｃ  支持部
１４  第２シャーシ部材
１５  サイドパネル
１７  前面パネル
２１  第３シャーシ部材
２１ａ  凹凸
２２，２３  補助金具
３２  天井吊り下げ金具
３２ａ  装置取り付け板
４１  シャーシ
４３  中空部
１００  平面表示装置
１１２  回路基板
１１６  リアケース
１１９  筐体
【図１】
2006133355.tif 000003
【図２】
2006133355.tif 000004
【図３】
2006133355.tif 000005
【図４】
2006133355.tif 000006
【図５】
2006133355.tif 000007
【図６】
2006133355.tif 000008
【図７】
2006133355.tif 000009
【図８】
2006133355.tif 000010